(57)【要約】  本発明は、基地局のハンドオーバ中にデータを伝送するための方法を開示し、ユーザ装置ＵＥは、受信した無線リソース制御接続再設定ＲＲＣ  ＣＲメッセージに基づいて、マスタ基地局ＭｅＮＢに対して第１基地局からターゲット基地局へのハンドオーバを行うことと、ＵＥは、第２基地局との間の接続、及び第２基地局に保持されて伝送されるセカンダリ基地局セルグループベアラＳＣＧ  ｂｅａｒｅｒに対応するプロトコルエンティティが変わらないようにすることと、を含む。本発明は、さらに、他の基地局のハンドオーバ中にデータを伝送するための方法、ユーザ装置及び基地局並びに記憶媒体を開示している。
2018512770.tif 000002
【特許請求の範囲】
【請求項１】
基地局のハンドオーバ中にデータを伝送するための方法であって、
ユーザ装置ＵＥが、受信した無線リソース制御接続再設定ＲＲＣ  ＣＲメッセージに基づいて、マスタ基地局ＭｅＮＢに対して第１基地局からターゲット基地局へのハンドオーバを行うことと、
前記ＵＥが、第２基地局との間の接続、及び第２基地局に保持されて伝送されるセカンダリ基地局セルグループベアラＳＣＧ  ｂｅａｒｅｒに対応するプロトコルエンティティが変わらないようにすることと、
を含む方法。
【請求項２】
前記ＵＥが、第２基地局との間の接続、及びそのまま第２基地局に保持されて伝送されるＳＣＧ  ｂｅａｒｅｒに対応するプロトコルエンティティが変わらないようにすると同時に、
前記ＵＥが、第１基地局のセルから離れて、ターゲット基地局のセルとの同期を行い、前記ターゲット基地局へのランダムアクセスを開始し、マスタ基地局セルグループベアラＭＣＧ  ｂｅａｒｅｒに対応するプロトコルエンティティの再構築又はリセットを行うこと、
或いは、前記ターゲット基地局と前記第１基地局とが同一の基地局である場合、前記ＵＥが、第１基地局のセルとの同期を行い、前記第１基地局へのランダムアクセスを開始し、マスタ基地局セルグループベアラＭＣＧ  ｂｅａｒｅｒに対応するプロトコルエンティティの再構築又はリセットを行うこと、をさらに含む
請求項１に記載の方法。
【請求項３】
前記ＵＥは、第２基地局との間の接続、及び第２基地局に保持されて伝送されるＳＣＧ  ｂｅａｒｅｒに対応するプロトコルエンティティが変わらないようにすると同時に、ＳＣＧ  ｂｅａｒｅｒを追加又は削除し、前記ＳＣＧ  ｂｅａｒｅｒに対応するプロトコルエンティティの再構築又はリセット、或いは削除を行う
請求項１又は２に記載の方法。
【請求項４】
前記ＵＥは、前記第２基地局に保持されて伝送されるＳＣＧ  ｂｅａｒｅｒにおいてユーザプレーンデータの伝送を行う
請求項１又は２に記載の方法。
【請求項５】
無線リソース制御接続再設定ＲＲＣ  ＣＲメッセージを受信する受信モジュールと、
マスタ基地局ＭｅＮＢに対して第１基地局からターゲット基地局へのハンドオーバを行うハンドオーバモジュールと、
第２基地局との間の接続、及び第２基地局に保持されて伝送されるセカンダリ基地局セルグループベアラＳＣＧ  ｂｅａｒｅｒに対応するプロトコルエンティティが変わらないようにする第１プロトコル処理モジュールと、
を備えるＵＥ。
【請求項６】
第２基地局との間の接続、及び第２基地局に保持されて伝送されるＳＣＧ  ｂｅａｒｅｒに対応するプロトコルエンティティが変わらないようにすると同時に、
前記第１プロトコル処理モジュールは、さらに、マスタ基地局セルグループベアラＭＣＧ  ｂｅａｒｅｒに対応するプロトコルエンティティの再構築又はリセットを行うとともに、前記ハンドオーバモジュールは、さらに、第１基地局のセルから離れて、ターゲット基地局のセルとの同期を行い、前記ターゲット基地局へのランダムアクセスを開始するか、
或いは、前記ターゲット基地局と前記第１基地局とが同一の基地局である場合、前記第１プロトコル処理モジュールは、さらに、マスタ基地局セルグループベアラＭＣＧ  ｂｅａｒｅｒに対応するプロトコルエンティティの再構築又はリセットを行うとともに、前記ハンドオーバモジュールは、さらに、第１基地局のセルとの同期を行い、前記第１基地局へのランダムアクセスを開始する
請求項１に記載のＵＥ。
【請求項７】
前記第１プロトコル処理モジュールは、さらに、第２基地局との間の接続、及び第２基地局に保持されて伝送されるＳＣＧ  ｂｅａｒｅｒに対応するプロトコルエンティティが変わらないようにすると同時に、ＳＣＧ  ｂｅａｒｅｒを追加又は削除し、前記ＳＣＧ  ｂｅａｒｅｒに対応するプロトコルエンティティの再構築又はリセット、或いは削除を行う
請求項５又は６に記載のＵＥ。
【請求項８】
前記第２基地局に保持されて伝送されるＳＣＧ  ｂｅａｒｅｒにおいてユーザプレーンデータの伝送を行う第１伝送モジュール、をさらに備える
請求項５又は６に記載のＵＥ。
【請求項９】
基地局のハンドオーバ中にデータを伝送するための方法であって、
第２基地局が、マスタ基地局ＭｅＮＢが第１基地局からターゲット基地局にハンドオーバされる場合、ＵＥとの間の接続、及び第２基地局に保持されて伝送されるセカンダリ基地局セルグループベアラＳＣＧ  ｂｅａｒｅｒに対応するプロトコルエンティティが変わらないようにし、前記第２基地局に保持されて伝送されるＳＣＧ  ｂｅａｒｅｒにおいてユーザプレーンデータのスケジューリングを行うこと、
を含む方法。
【請求項１０】
前記第１基地局が、セカンダリ基地局ＳｅＮＢ解放要求を前記第２基地局へ送信し、第１基地局との間での前記ＵＥに関するＸ２接続を解放するよう第２基地局に指示し、前記ＵＥに関するＸ２接続の解放が、前記第２基地局による前記ＵＥに関するユーザプレーンデータのスケジューリング及びリソース設定に影響することがないだけでなく、前記第２基地局に保存された前記ＵＥに関するコンテキストに影響することもないようにすること、をさらに含む
請求項９に記載の方法。
【請求項１１】
前記第１基地局が、ＭｅＮＢ基地局内ハンドオーバ通知メッセージを前記第２基地局へ送信し、ＭｅＮＢが基地局内ハンドオーバを行ったか、行っていることを前記第２基地局に通知すること、をさらに含む
請求項９に記載の方法。
【請求項１２】
マスタ基地局ＭｅＮＢが第１基地局からターゲット基地局にハンドオーバされる場合、ＵＥとの間の接続、及び第２基地局に保持されて伝送されるセカンダリ基地局セルグループベアラＳＣＧ  ｂｅａｒｅｒに対応するプロトコルエンティティが変わらないようにする第２プロトコル処理モジュールと、
前記第２基地局に保持されて伝送されるＳＣＧ  ｂｅａｒｅｒにおいてユーザプレーンデータのスケジューリングを行う第２伝送モジュールと、
を備える基地局。
【請求項１３】
前記第２プロトコル処理モジュールは、さらに、セカンダリ基地局ＳｅＮＢ解放要求を前記第２基地局へ送信し、第１基地局との間での前記ＵＥに関するＸ２接続を解放するよう第２基地局に指示し、前記ＵＥに関するＸ２接続の解放が、前記第２基地局による前記ＵＥに関するユーザプレーンデータのスケジューリング及びリソース設定に影響することがないだけでなく、前記第２基地局に保存された前記ＵＥに関するコンテキストに影響することもないようにする
請求項１２に記載の基地局。
【請求項１４】
前記第２プロトコル処理モジュールは、さらに、ＭｅＮＢ基地局内ハンドオーバ通知メッセージを前記第２基地局へ送信し、ＭｅＮＢが基地局内ハンドオーバを行ったか、行っていることを前記第２基地局に通知する
請求項１２に記載の基地局。
【請求項１５】
請求項１乃至４及び９乃至１１のうち何れか一項に記載の基地局のハンドオーバ中にデータを伝送するための方法を実行させるコンピュータプログラムが記憶されている記憶媒体。
【発明の詳細な説明】
【技術分野】
【０００１】
本発明は、移動通信における基地局のハンドオーバ技術に関し、特に、基地局のハンドオーバ中にデータを伝送するための方法、ユーザ装置及び基地局、並びに、記憶媒体に関する。
【背景技術】
【０００２】
スモールセルの配置及びその能力面の向上は、将来、通信ネットワークが進展する中の重要な課題の１つとなる、と第３世代パートナーシップ・プロジェクト（Third Generation Partnership Projects、３ＧＰＰ）が語っている。ここで、前記スモールセルとは、低電力基地局が確立したセルであり、マクロ基地局が確立したセルMacro Cellとは異なり、スモールセルは、通常、Small Cellと呼ばれる。現在、通信業界に広く認められるヘテロジーニアスネットワーク配置場面は、マクロ基地局のカバレッジ内又は境界に低電力ノードを配置し、マクロ基地局と低電力ノードとが共同で進化型ユニバーサル地上無線アクセスネットワーク（Evolved Universal Terrestrial Radio Access Network、Ｅ−ＵＴＲＡＮ）システムにおけるアクセスネットワーク（Radio Access Network、ＲＡＮ）を構成することにより、ユーザ装置のために組み合わせたデータ伝送サービスを提供することである。
【０００３】
図１は、このような代表的なヘテロジーニアスネットワーク配置場面におけるシステム構造を示す図であり、図１に示されるように、ＲＡＮにおいて、コアネットワーク（Core Network、ＣＮ）におけるモビリティ管理エンティティ（Mobility Management Entity、ＭＭＥ）との間でＳ１−ＭＭＥインターフェースが確立され、ＣＮによってモビリティアンカーと見なされる基地局は、マスタ基地局（Master eNB、ＭｅＮＢ）と呼ばれ、一方、ＭｅＮＢとはＸ２インターフェースを介して接続され、ＵＥへ追加の無線リソースを提供するノードは、セカンダリ基地局（Secondary eNB、ＳｅＮＢ）と呼ばれる。ＵＥとＭｅＮＢ、ＳｅＮＢの間には、それぞれ無線Ｕｕインターフェースが確立され、Ｕｕインターフェースにてコントロールプレーンシグナリング及びユーザプレーンデータを伝送することができ、この場合、ＵＥが二重接続状態（Dual Connectivity、ＤＣ）にあると認められる。このようなシステム構造では、２つ（さらには複数）の基地局は、同時に１つのＵＥへ無線リソースを提供するとともに、同時に通信サービスを行うことができるため、ネットワークのデータスループットは大幅に向上され、ユーザの日増しに増加するデータレート要求に可能な限り応えることができる。
【０００４】
図２は、このような代表的なヘテロジーニアスネットワーク配置場面におけるユーザプレーン伝送モード及びプロトコルスタックを示す図であり、図２に示されるように、下りデータを例として、ユーザプレーンにおいて、パケットデータコンバージェンスプロトコル（Packet Data Convergence Protocol、ＰＤＣＰ）サブレイヤは、上位層からのＩＰデータパケットを受け取った後、ＩＰデータパケットのヘッダ圧縮と暗号化を行うことができ、そして、無線リンク制御プロトコル（Radio Link Control、ＲＬＣ）に送信した後、メディアアクセス制御層ＭＡＣ及び物理層ＰＨＹに送信する。
【０００５】
下りデータを例として、進化型パケットシステムベアラ（Evolved Packet System、ＥＰＳ）ｂｅａｒｅｒ＃１の伝送モードは、シングルリンクシステムの標準モードと同様であり、即ち、サービングゲートウェイ（Serving Gateway、Ｓ−ＧＷ）は、Ｓ１−Ｕインターフェースを介してパケットをＭｅＮＢに送信してから、ＭｅＮＢがパケットをＵｕインターフェースを介してＵＥに送信する。ＤＣにおいて、このような無線プロトコルスタックは、ＭｅＮＢのみにあり、且つＭｅＮＢリソースのベアラのみを使用し、マスタ基地局セルグループベアラ（Master Cell Group bearer、ＭＣＧ  ｂｅａｒｅｒ）と呼ばれる。また、ＥＰＳ  ｂｅａｒｅｒ＃２の伝送は、Ｓ−ＧＷがパケットをＳｅＮＢとの間のＳ１−Ｕインターフェースを介してＳｅＮＢに送信してから、ＳｅＮＢがパケットをＵｕインターフェースを介してＵＥに送信する。このような無線プロトコルスタックは、完全にＳｅＮＢに位置し、且つＳｅＮＢリソースのベアラのみを使用し、セカンダリ基地局セルグループベアラ（Secondary Cell Group bearer、ＳＣＧ  ｂｅａｒｅｒ）と呼ばれる。
【０００６】
ＵＥがデータ伝送及び／又は移動する中、２つの場面があり、１つは、例えば、あるプロトコルエンティティにおける変数が一定の閾値まで蓄積した場合、前記ＵＥの一部の設定パラメータを修正する必要があることである。もう１つは、例えば、無線信号品質が一定の閾値まで低下した、或いは、現在サービング基地局の負荷が大きすぎる場合、前記ＵＥのサービング基地局は、現在接続しているｅＮＢ（ソース基地局と呼ばれ、source eNB）から他の適切な条件のｅＮＢ（ターゲット基地局と呼ばれ、target eNB）にハンドオーバする必要があることである。この２つの場面は、基地局内ハンドオーバ（intra-eNB handover、ハンドオーバの前後において、ＵＥは相変わらず同一のｅＮＢと接続確立し、一部のパラメータのみが再設定されている）又は基地局間ハンドオーバ（inter-eNB handover、ハンドオーバの前後において、ＵＥは異なるｅＮＢと接続確立する）のプログラムによって実現される必要がある。
【０００７】
上記システム構造にて、ＤＣ状態にあるＵＥのＭｅＮＢのハンドオーバが必要となる場合、従来技術によれば、ＵＥのＳｅＮＢは、プログラムのハンドオーバ前又はプログラムのハンドオーバ中に解放されていく。さらに、前記ＵＥがtarget eNBにアクセスした後（intra-eNB handoverの場合、target eNBが元のＭｅＮＢである）においても、サービス要求及び適切な条件の基地局ノードが存在していれば、target eNBは、前記ＵＥに再びＳｅＮＢを追加する。好ましくは、intra-eNB handoverにとって、元のＳｅＮＢの条件が特定した閾値をずっと満足していれば、ＭｅＮＢは、１つのコントロールプレーンシグナリングにＭｅＮＢのintra-MeNB handover情報と前記ＳｅＮＢが解放して再び追加した情報との双方を携帯させ、即ち、１つのエアインターフェースコントロールプレーンシグナリングのみによって、２つのｅＮＢのリソースを再設定するようＵＥに指示することができる。
【０００８】
このように、ネットワーク現有の設定能力では、ＵＥとＳｅＮＢとの間のユーザプレーンデータの伝送は、ＵＥのＭｅＮＢのハンドオーバによって中断することがある。好適なIntra-MeNB handoverプログラムにおいて、ＵＥがtarget eNBセルにアクセスするのに必要な時間が長ければ、ＵＥとＳｅＮＢとの間のユーザプレーンデータの中断時間もこれに応じて長くなる。これは、ネットワークのＵＥに提供可能な無線リソースが空きになることを意味し、即ち、ＵＥの元々改善されることが可能なデータスループットは、何らかの事情で制約されてしまい、ネットワークのサービス性能全体も低下してしまう。
【発明の概要】
【発明が解決しようとする課題】
【０００９】
既存の課題を解決するために、本発明の実施例は、基地局のハンドオーバ中にデータを伝送するための方法、ユーザ装置及び基地局並びに記憶媒体を提供することを意図している。
【課題を解決するための手段】
【００１０】
本発明の実施例の技術案は以下のように実現される。
【００１１】
本発明の実施例に提供される基地局のハンドオーバ中にデータを伝送するための方法は、
ユーザ装置ＵＥが、受信した無線リソース制御接続再設定ＲＲＣ  ＣＲメッセージに基づいて、マスタ基地局ＭｅＮＢに対して第１基地局からターゲット基地局へのハンドオーバを行うことと、
前記ＵＥが、第２基地局との間の接続、及び第２基地局に保持されて伝送されるセカンダリ基地局セルグループベアラＳＣＧ  ｂｅａｒｅｒに対応するプロトコルエンティティが変わらないようにすることと、
を含む。
【００１２】
前記ＵＥが、第２基地局との間の接続、及び第２基地局に保持されて伝送されるＳＣＧ  ｂｅａｒｅｒに対応するプロトコルエンティティが変わらないようにすると同時に、前記方法は、
前記ＵＥが、第１基地局のセルから離れて、ターゲット基地局のセルとの同期を行い、前記ターゲット基地局へのランダムアクセスを開始し、マスタ基地局セルグループベアラＭＣＧ  ｂｅａｒｅｒに対応するプロトコルエンティティの再構築又はリセットを行うこと、
或いは、前記ターゲット基地局と前記第１基地局とが同一の基地局である場合、前記ＵＥが、第１基地局のセルとの同期を行い、前記第１基地局へのランダムアクセスを開始し、マスタ基地局セルグループベアラＭＣＧ  ｂｅａｒｅｒに対応するプロトコルエンティティの再構築又はリセットを行うこと、をさらに含む。
【００１３】
上記ＵＥは、第２基地局との間の接続、及び第２基地局に保持されて伝送されるＳＣＧ  ｂｅａｒｅｒに対応するプロトコルエンティティが変わらないようにすると同時に、ＳＣＧ  ｂｅａｒｅｒを追加又は削除し、前記ＳＣＧ  ｂｅａｒｅｒに対応するプロトコルエンティティの再構築又はリセット、或いは削除を行う。
【００１４】
上記ＵＥは、前記第２基地局に保持されて伝送されるＳＣＧ  ｂｅａｒｅｒにおいてユーザプレーンデータの伝送を行う。
【００１５】
本発明の実施例に提供されるＵＥは、
無線リソース制御接続再設定ＲＲＣ  ＣＲメッセージを受信する受信モジュールと、
マスタ基地局ＭｅＮＢに対して第１基地局からターゲット基地局へのハンドオーバを行うハンドオーバモジュールと、
第２基地局との間の接続、及び第２基地局に保持されて伝送されるセカンダリ基地局セルグループベアラＳＣＧ  ｂｅａｒｅｒに対応するプロトコルエンティティが変わらないようにする第１プロトコル処理モジュールと、を備える。
【００１６】
第２基地局との間の接続、及び第２基地局に保持されて伝送されるＳＣＧ  ｂｅａｒｅｒに対応するプロトコルエンティティが変わらないようにすると同時に、
前記第１プロトコル処理モジュールは、さらに、マスタ基地局セルグループベアラＭＣＧ  ｂｅａｒｅｒに対応するプロトコルエンティティの再構築又はリセットを行うとともに、前記ハンドオーバモジュールは、さらに、第１基地局のセルから離れて、ターゲット基地局のセルとの同期を行い、前記ターゲット基地局へのランダムアクセスを開始するか、
或いは、前記ターゲット基地局と前記第１基地局とが同一の基地局である場合、前記第１プロトコル処理モジュールは、さらに、マスタ基地局セルグループベアラＭＣＧ  ｂｅａｒｅｒに対応するプロトコルエンティティの再構築又はリセットを行うとともに、前記ハンドオーバモジュールは、さらに、第１基地局のセルとの同期を行い、前記第１基地局へのランダムアクセスを開始する。
【００１７】
上記第１プロトコル処理モジュールは、さらに、第２基地局との間の接続、及び第２基地局に保持されて伝送されるＳＣＧ  ｂｅａｒｅｒに対応するプロトコルエンティティが変わらないようにすると同時に、ＳＣＧ  ｂｅａｒｅｒを追加又は削除し、前記ＳＣＧ  ｂｅａｒｅｒに対応するプロトコルエンティティの再構築又はリセット、或いは削除を行う。
【００１８】
上記ＵＥは、前記第２基地局に保持されて伝送されるＳＣＧ  ｂｅａｒｅｒにおいてユーザプレーンデータの伝送を行う第１伝送モジュール、をさらに備える。
【００１９】
本発明の実施例に提供される基地局のハンドオーバ中にデータを伝送するための方法は、
第２基地局が、マスタ基地局ＭｅＮＢが第１基地局からターゲット基地局にハンドオーバされる場合、ＵＥとの間の接続、及び第２基地局に保持されて伝送されるセカンダリ基地局セルグループベアラＳＣＧ  ｂｅａｒｅｒに対応するプロトコルエンティティが変わらないようにし、前記第２基地局に保持されて伝送されるＳＣＧ  ｂｅａｒｅｒにおいてユーザプレーンデータのスケジューリングを行うこと、を含む。
【００２０】
上記方法は、前記第１基地局が、セカンダリ基地局ＳｅＮＢ解放要求を前記第２基地局へ送信し、第１基地局との間での前記ＵＥに関するＸ２接続を解放するよう第２基地局に指示し、前記ＵＥに関するＸ２接続の解放が、前記第２基地局による前記ＵＥに関するユーザプレーンデータのスケジューリング及びリソース設定に影響することがないだけでなく、前記第２基地局に保存された前記ＵＥに関するコンテキストに影響することもないようにすること、をさらに含む。
【００２１】
上記方法は、前記第１基地局が、ＭｅＮＢ基地局内ハンドオーバ通知メッセージを前記第２基地局へ送信し、ＭｅＮＢが基地局内ハンドオーバを行ったか、行っていることを前記第２基地局に通知すること、をさらに含む。
【００２２】
本発明の実施例に提供される基地局は、
マスタ基地局ＭｅＮＢが第１基地局からターゲット基地局にハンドオーバされる場合、ＵＥとの間の接続、及び第２基地局に保持されて伝送されるセカンダリ基地局セルグループベアラＳＣＧ  ｂｅａｒｅｒに対応するプロトコルエンティティが変わらないようにする第２プロトコル処理モジュールと、
前記第２基地局に保持されて伝送されるＳＣＧ  ｂｅａｒｅｒにおいてユーザプレーンデータのスケジューリングを行う第２伝送モジュールと、を備える。
【００２３】
上記第２プロトコル処理モジュールは、さらに、セカンダリ基地局ＳｅＮＢ解放要求を前記第２基地局へ送信し、第１基地局との間での前記ＵＥに関するＸ２接続を解放するよう第２基地局に指示し、前記ＵＥに関するＸ２接続の解放が、前記第２基地局による前記ＵＥに関するユーザプレーンデータのスケジューリング及びリソース設定に影響することがないだけでなく、前記第２基地局に保存された前記ＵＥに関するコンテキストに影響することもないようにする。
【００２４】
上記第２プロトコル処理モジュールは、さらに、ＭｅＮＢ基地局内ハンドオーバ通知メッセージを前記第２基地局へ送信し、ＭｅＮＢが基地局内ハンドオーバを行ったか、行っていることを前記第２基地局に通知する。
【００２５】
上述した基地局のハンドオーバ中にデータを伝送するための方法を実行させるコンピュータプログラムが記憶されている記憶媒体が提供される。
【発明の効果】
【００２６】
本発明の実施例に提供される基地局のハンドオーバ中にデータを伝送するための方法、ユーザ装置及び基地局並びに記憶媒体は、マスタ基地局ＭｅＮＢが第１基地局からターゲット基地局にハンドオーバする場合、ＵＥと第２基地局との間の接続、及び第２基地局に保持されて伝送されるセカンダリ基地局セルグループベアラＳＣＧ  ｂｅａｒｅｒに対応するプロトコルエンティティが変わらないようにすることにより、ＵＥは、ＭｅＮＢのハンドオーバの前後において、第２基地局との間の接続を維持することができ、即ち、ＵＥと第２基地局との間でのデータ伝送を途切れることなく行うことができ、これにより、ＵＥのデータ伝送性能及びスループットを向上させ、同時に、第２基地局とＵＥとの間のデータ伝送は、ＭｅＮＢのハンドオーバに影響されることがないため、ネットワーク全体の無線リソースの使用効率が向上する。
【図面の簡単な説明】
【００２７】
【図１】代表的なヘテロジーニアスネットワーク配置場面におけるシステム構造を示す図である。
【図２】代表的なヘテロジーニアスネットワーク配置場面におけるユーザプレーン伝送モード及びプロトコルスタックを示す図である。
【図３】本発明の実施例に提供される基地局のハンドオーバ中にデータを伝送するための方法のハンドオーバ場面を示す図である。
【図４】本発明の一実施例に提供される基地局のハンドオーバ中にデータを伝送するための方法のフローを示す図の１である。
【図５】本発明の一実施例に提供される基地局のハンドオーバ中にデータを伝送するための方法のフローを示す図の２である。
【図６】本発明の一実施例に提供される基地局のハンドオーバ中にデータを伝送するための方法のフローを示す図の３である。
【図７】本発明の一実施例に提供される基地局のハンドオーバ中にデータを伝送するための方法のフローを示す図の４である。
【図８】本発明の実施例に提供される基地局のハンドオーバ中にデータを伝送するためのＵＥの構造を示す図である。
【図９】本発明の他の実施例に提供される基地局のハンドオーバ中にデータを伝送するための方法のフローを示す図である。
【図１０】本発明の実施例に提供される基地局のハンドオーバ中にデータを伝送するための基地局の構造を示す図である。
【発明を実施するための形態】
【００２８】
図３は、本発明の実施例に提供される基地局のハンドオーバ中にデータを伝送するための方法のハンドオーバ場面を示す図であり、この場面において、ＵＥは、アクセスネットワークにおける第１基地局と第２基地局の双方とも無線接続が確立されているとともに、第１基地局と第２基地局との間にはインターフェースが確立されており、このインターフェースはＸ２インターフェースであることができる。
【００２９】
ＵＥと第１基地局との間でコントロールプレーンシグナリング及びユーザプレーンデータを伝送することができ、第１基地局とコアネットワークの対応するノードとの間でコントロールプレーンシグナリング及びユーザプレーンデータを伝送することができ、この場合、第１基地局はＭｅＮＢに相当し、マスタ基地局ＭｅＮＢは、二重接続における基地局の役割／地位を意味し、ハンドオーバ前に、第１基地局は、マスタ基地局（ＭｅＮＢ）であり、ハンドオーバ中のソース基地局（ｓｏｕｒｓｅ  ＭｅＮＢ）でもあり、一方、ハンドオーバ後に、ターゲット基地局は、マスタ基地局（ＭｅＮＢ）となり、ハンドオーバ中のターゲット基地局（ｔａｒｇｅｔ  ＭｅＮＢ）ともなる。ＵＥと第２基地局との間で少なくともユーザプレーンデータを伝送することができ、第２基地局とコアネットワークにおけるサービングゲートウェイとの間でユーザプレーンデータを伝送することができ、この場合、第２基地局はＳｅＮＢに相当し、同様に、セカンダリ基地局ＳｅＮＢも、二重接続における基地局の役割／地位を意味する。
【００３０】
本発明の実施例に提供される他の場面において、第１基地局及び第２基地局の数は、それぞれ１を超えることができ、即ち、ＵＥは複数の基地局に同時にアクセスすることができ、そして、第１基地局及び第２基地局は、例えば、低電力基地局及び／又はマクロ基地局など様々なタイプの基地局であることができる。
【００３１】
本発明に提供される一実施例において、ＵＥは、移動中に第１基地局（移動場面において、ソース基地局とも呼ばれる）のサービングセル（第１基地局のセルと呼ぶ）との間の信号品質が低下し、ターゲット基地局のセルとの間の信号品質が向上され、一方、ＵＥは、いつまでも第２基地局のカバレッジにあり、即ち、ＵＥと第２基地局のセルとの間の信号品質が良好に維持される。ＭｅＮＢの役割に相当する基地局ノードに対して第１基地局からターゲット基地局へのハンドオーバを行うと判定した後、ＵＥは、第１基地局のセルから離れ、ターゲット基地局のセルにアクセスする。ＭｅＮＢの第１基地局からターゲット基地局へのハンドオーバ中、ＵＥは、第２基地局との間の接続、及び第２基地局に保持されて伝送されるＳＣＧ  ｂｅａｒｅｒに対応するプロトコルエンティティが変わらないようにし、このため、ＵＥと第２基地局との間のユーザプレーンデータ伝送は、中断することがなく、即ち、ＵＥと第２基地局との間でのデータ伝送を途切れることなく行うことができ、これにより、ＵＥのデータ伝送性能及びスループットを効果的に向上させ、ネットワーク全体の無線リソースの使用効率を向上させる。
【００３２】
ここで、前記プロトコルエンティティとは、ノードに載せられる完全たる無線プロトコルスタックをいい、図２に示されるように、ＰＤＣＰサブレイヤ、ＲＬＣサブレイヤ、ＭＡＣサブレイヤ及び物理層を含む。プロトコルエンティティが変わらないようにするとは、プロトコルエンティティのＲＲＣリソース設定が変わらず、且つエンティティの再構築又はリセットを行う必要がないようにすることをいう。
【００３３】
以下、具体的な実施例を結合して本発明をさらに詳しく説明する。
【００３４】
図４に示される本発明の一実施例において、開示された基地局のハンドオーバ中にデータを伝送するための方法は、以下のステップ４０１〜ステップ４０３を含む。
【００３５】
ステップ４０１：マスタ基地局ＭｅＮＢに対して第１基地局からターゲット基地局へのハンドオーバを行うと判定する。
【００３６】
このステップにおいて、第１基地局は、前記ＵＥのソースネットワーク側におけるリソース設定情報が携帯されているハンドオーバ要求メッセージをターゲット基地局へ送信することができ、ターゲット基地局は、前記リソース設定情報に基づいてＵＥのアクセスを受けると判定し、ＵＥと第２基地局との間の接続状況及びベアラレベルリソース設定を決定し、ハンドオーバ要求確認メッセージを前記第１基地局へ送信する。
【００３７】
このステップにおいて、第１基地局は、無線信号品質などのパラメータに基づいて基地局内ハンドオーバを実行すると判定するとともに、第２基地局のセル及びリソース設定が変わらないようにし、或いは、ＵＥの設定パラメータ変化状況に基づいて基地局内ハンドオーバを実行すると判定することもできる。この場合、ターゲット基地局と第１基地局とが同一の基地局であり、第１基地局によりリソース設定情報が更新される。
【００３８】
ステップ４０２：第１基地局は、無線リソース制御接続再設定（Radio Resource Control Connection Reconfiguration、ＲＲＣ  ＣＲ）メッセージをＵＥへ送信する。
【００３９】
ここで、ＲＲＣ  ＣＲメッセージには、新しいリソース設定情報以外に、第２基地局との間の接続、及び第２基地局に保持されて伝送されるＳＣＧ  ｂｅａｒｅｒに対応するプロトコルエンティティが変わらないようにすることをＵＥに指示する情報も携帯されている。
【００４０】
ステップ４０３：ＵＥは、受信したＲＲＣ  ＣＲメッセージに基づいて、マスタ基地局ＭｅＮＢに対して第１基地局からターゲット基地局へのハンドオーバを行う一方、ＵＥは、第２基地局との間の接続、及び第２基地局に保持されて伝送されるＳＣＧ  ｂｅａｒｅｒに対応するプロトコルエンティティが変わらないようにする。
【００４１】
ここで、ＵＥは、第１基地局のセルから離れて、ターゲット基地局のセルとの同期を行い、ターゲット基地局へのランダムアクセスを開始し、ＭＣＧ  ｂｅａｒｅｒに対応するプロトコルエンティティの再構築又はリセットを行うか、
或いは、ターゲット基地局と第１基地局とが同一の基地局である場合、ＵＥは、第１基地局のセルとの同期を行い、第１基地局へのランダムアクセスを開始し、ＭｅＮＢリソースのベアラであるＭＣＧ  ｂｅａｒｅｒに対応するプロトコルエンティティの再構築又はリセットを行う。
【００４２】
このステップにおいて、ＳＣＧ  ｂｅａｒｅｒの下り／上りデータトンネルエンドポイントが変わらないようにし、ＵＥ及び第２基地局は、ＳＣＧ  ｂｅａｒｅｒにおけるユーザプレーンデータのスケジューリングを継続することができる。また、ＳｅＮＢとの間の接続、及び第２基地局に保持されて伝送されるＳＣＧ  ｂｅａｒｅｒに対応するプロトコルエンティティが変わらないようにすると同時に、ＳＣＧ  ｂｅａｒｅｒを追加又は削除し、前記ＳＣＧ  ｂｅａｒｅｒに対応するプロトコルエンティティの再構築又はリセット、或いは削除を行うこともでき、ＵＥ及び第２基地局は、第２基地局に保持されて伝送されるＳＣＧ  ｂｅａｒｅｒ及び／又は追加されたＳＣＧ  ｂｅａｒｅｒにおけるユーザプレーンデータのスケジューリングを継続することができる。
【００４３】
ＵＥは、無線リソース制御接続再設定完了（Radio Resource Control Connection Reconfiguration Complete、ＲＲＣ  ＣＲＣ）メッセージをターゲット基地局へ送信し、ＵＥが新しいリソース設定を始めたことを知らせることもできる。
【００４４】
ターゲット基地局がＲＲＣ  ＣＲＣメッセージを受け取った後、ターゲット基地局は、さらに、パス切り替え指示メッセージをコアネットワークノードへ送信し、ターゲット基地局がベアリングするＭＣＧ  ｂｅａｒｅｒ及び第２基地局に新しく追加されたＳＣＧ  ｂｅａｒｅｒの下り／上りデータトンネルエンドポイントの変化を知らせることができる。
【００４５】
図４に示される本発明の実施例に提供される基地局のハンドオーバ中にデータを伝送するための方法により、ＵＥは、ＭｅＮＢのハンドオーバの前後において、第２基地局との間の接続、及び第２基地局に保持されて伝送されるＳＣＧ  ｂｅａｒｅｒに対応するプロトコルエンティティが変わらないようにすることができ、ＵＥ及び第２基地局は、ＳＣＧ  ｂｅａｒｅｒにおけるユーザプレーンデータのスケジューリングを継続することができ、これにより、ＵＥのデータ伝送性能及びスループットを向上させ、同時に、第２基地局とＵＥとの間のデータ伝送は、ＭｅＮＢのハンドオーバに影響されることがないため、ネットワーク全体の無線リソースの使用効率が向上する。
【００４６】
図５に示される本発明の一実施例において、開示された基地局のハンドオーバ中にデータを伝送するための方法は、以下のステップ５０１〜ステップ５０９を含む。
【００４７】
ステップ５０１：ハンドオーバ準備段階において、基地局間ハンドオーバを実行する必要があると判定する。
【００４８】
本実施例において、ＵＥには、第１基地局とで確立したＭＣＧ  ｂｅａｒｅｒと、第２基地局とで確立したＳＣＧ  ｂｅａｒｅｒとの２つのベアラが設定されている。
【００４９】
ここで、第１基地局は、前記ＵＥのソースネットワーク側におけるリソース設定情報が携帯されているハンドオーバ要求メッセージをターゲット基地局へ送信する。
【００５０】
ターゲット基地局は、前記リソース設定情報に基づいて、基地局間ハンドオーバを受けるか否か、及びＵＥと第２基地局との間の接続状況を判断する。
【００５１】
ターゲット基地局は、基地局間ハンドオーバを実行すると判定した後、新しいリソース設定情報が携帯されているハンドオーバ要求確認メッセージを第１基地局へ送信する。
【００５２】
ステップ５０２：第１基地局は、ＲＲＣ  ＣＲメッセージをＵＥへ送信し、ＭｅＮＢに対して前記第１基地局からターゲット基地局へのハンドオーバを行うようＵＥに指示する。
【００５３】
ここで、ＲＲＣ  ＣＲメッセージには、新しいリソース設定情報以外に、第２基地局との間の接続、及び第２基地局に保持されて伝送されるＳＣＧ  ｂｅａｒｅｒに対応するプロトコルエンティティが変わらないようにすることをＵＥに指示する情報も携帯されている。
【００５４】
さらに、ＲＲＣ  ＣＲメッセージに携帯された、第２基地局との間の接続、及び第２基地局に保持されて伝送されるＳＣＧ  ｂｅａｒｅｒに対応するプロトコルエンティティが変わらないようにすることをＵＥに指示する情報は、既存のモビリティ制御情報Mobility Control Infoを含まなくてもよい。
【００５５】
ステップ５０３：ＵＥは、ＲＲＣ  ＣＲメッセージに基づいて、第２基地局との間の接続、及び第２基地局に保持されて伝送されるＳＣＧ  ｂｅａｒｅｒに対応するプロトコルエンティティが変わらないようにする。
【００５６】
このステップにおいて、ＳＣＧ  ｂｅａｒｅｒの下り／上りデータトンネルエンドポイントが変わらないようにし、ＵＥ及び第２基地局は、ＳＣＧ  ｂｅａｒｅｒにおけるユーザプレーンデータのスケジューリングを継続することができる。
【００５７】
以下のステップ５０４〜ステップ５０９は、このステップと同時に実行されてもよいし、個別に実行されてもよい。
【００５８】
ステップ５０４：ＵＥは、ターゲット基地局へのランダムアクセスを開始する。
【００５９】
ここで、ＵＥは、第１基地局のセルから離れて、ターゲット基地局のセルとの同期を行い、ターゲット基地局へのランダムアクセスを開始する。
【００６０】
このステップにおいて、ＭＣＧ  ｂｅａｒｅｒに対応するプロトコルエンティティについて、新しいリソース設定情報に基づく再構築又はリセットを行う。
【００６１】
ステップ５０５：ＵＥは、ＲＲＣ  ＣＲＣメッセージをターゲット基地局へ送信し、ＵＥが新しいリソース設定を始めたことを知らせる。
【００６２】
ターゲット基地局は、ＲＲＣ  ＣＲＣメッセージを受け取った後、ＵＥに対してユーザプレーンの伝送スケジューリングを直接行うことができる。
【００６３】
ステップ５０６：第１基地局は、ハンドオーバ要求確認メッセージに基づいて、ＭＣＧ  ｂｅａｒｅｒパケットの番号付け情報及びパケットをターゲット基地局に転送する。
【００６４】
ステップ５０７：ターゲット基地局は、パス切り替え指示メッセージをコアネットワークノード（ＭＭＥ及びＳ−ＧＷを含む）へ送信し、ターゲット基地局がベアリングするＭＣＧ  ｂｅａｒｅｒの下り／上りデータトンネルエンドポイントの変化を知らせる。
【００６５】
ここで、パス切り替えは、第２基地局に保持されて伝送されるＳＣＧ  ｂｅａｒｅｒの下り／上りデータトンネルエンドポイントの切り替えを含まず、即ち、ＳＣＧ  ｂｅａｒｅｒのユーザプレーンパスは、ＭｅＮＢのハンドオーバの前後において変わらないようにされる。
【００６６】
ステップ５０８：ターゲット基地局は、ＵＥコンテキスト解放メッセージUE CONTEXT RELEASEを第１基地局へ送信する。
【００６７】
ステップ５０９：第１基地局は、ＳｅＮＢ解放要求を第２基地局へ送信し、第１基地局との間での該ＵＥに関するＸ２接続を解放するよう第２基地局に指示する。
【００６８】
ここで、ＳｅＮＢ解放要求は、既存標準に定義されたＸ２コントロールプレーンメッセージ（例えば、SENB RELEASE REQUEST）によって送信されることができるし、新しいメッセージを定義して、第１基地局との間での該ＵＥに関するＸ２接続を解放するよう第２基地局に指示することもできる。
【００６９】
このステップにおいて、該ＵＥに関するＸ２接続の解放は、第２基地局による該ＵＥに関するユーザプレーンデータのスケジューリング及びリソース設定に影響することがないだけでなく、第２基地局に保存された該ＵＥに関するコンテキストに影響することもない。
【００７０】
図５に示される本発明の実施例に提供される基地局のハンドオーバ中にデータを伝送するための方法により、ＵＥは、ＭｅＮＢのハンドオーバの前後において、第２基地局との間の接続、及び第２基地局に保持されて伝送されるＳＣＧ  ｂｅａｒｅｒに対応するプロトコルエンティティが変わらないようにすることができ、ＵＥ及び第２基地局は、ＳＣＧ  ｂｅａｒｅｒにおけるユーザプレーンデータのスケジューリングを継続することができ、これにより、ＵＥのデータ伝送性能及びスループットを向上させ、同時に、第２基地局とＵＥとの間のデータ伝送は、ＭｅＮＢのハンドオーバに影響されることがないため、ネットワーク全体の無線リソースの使用効率が向上する。
【００７１】
図６に示される本発明の一実施例において、開示された基地局のハンドオーバ中にデータを伝送するための方法は、以下のステップ６０１〜ステップ６０６を含む。
【００７２】
ステップ６０１：ハンドオーバ準備段階において、基地局内ハンドオーバを実行する必要があると判定する。
【００７３】
本実施例において、ＵＥには、第１基地局とで確立したＭＣＧ  ｂｅａｒｅｒと、第２基地局とで確立したＳＣＧ  ｂｅａｒｅｒとの２つのベアラが設定されている。
【００７４】
このステップにおいて、第１基地局（つまり、ターゲット基地局）は、無線信号品質、負荷などのパラメータに基づいて基地局内ハンドオーバを実行すると判定するとともに、第２基地局のセル及びリソース設定が変わらないようにするか、或いは、ＵＥの設定パラメータ変化状況に基づいて基地局内ハンドオーバを実行すると判定するとともに、リソース設定情報を更新する。
【００７５】
ステップ６０２：第１基地局は、ＲＲＣ  ＣＲメッセージをＵＥへ送信する。
【００７６】
ここで、ＲＲＣ  ＣＲメッセージには、更新後の新しいリソース設定情報以外に、第２基地局との間の接続、及び第２基地局に保持されて伝送されるＳＣＧ  ｂｅａｒｅｒに対応するプロトコルエンティティが変わらないようにすることをＵＥに指示する情報も携帯されている。
【００７７】
さらに、ＲＲＣ  ＣＲメッセージに携帯された、第２基地局との間の接続、及び第２基地局に保持されて伝送されるＳＣＧ  ｂｅａｒｅｒに対応するプロトコルエンティティが変わらないようにすることをＵＥに指示する情報は、既存のモビリティ制御情報Mobility Control Infoを含まなくてもよい。
【００７８】
ステップ６０３：ＵＥは、ＲＲＣ  ＣＲメッセージに基づいて、第２基地局との間の接続、及び第２基地局に保持されて伝送されるＳＣＧ  ｂｅａｒｅｒに対応するプロトコルエンティティが変わらないようにする。
【００７９】
このステップにおいて、ＳＣＧ  ｂｅａｒｅｒの下り／上りデータトンネルエンドポイントが変わらないようにし、ＵＥ及び第２基地局は、ＳＣＧ  ｂｅａｒｅｒにおけるユーザプレーンデータのスケジューリングを継続することができる。
【００８０】
以下のステップ６０４〜ステップ６０９は、このステップと同時に実行されてもよいし、個別に実行されてもよい。
【００８１】
ステップ６０４：ＵＥは、第１基地局のセルとの再同期を行い、第１基地局へのランダムアクセスを開始する。
【００８２】
このステップにおいて、ＭＣＧ  ｂｅａｒｅｒに対応するプロトコルエンティティについて、更新後の新しいリソース設定情報に基づく再構築又はリセットを行う。
【００８３】
ステップ６０５：ＵＥは、ＲＲＣ  ＣＲＣメッセージを第１基地局へ送信し、更新後のＵＥの第１基地局におけるリソース設定を始めたことを知らせる。
【００８４】
ステップ６０６：第１基地局は、ＭｅＮＢ基地局内ハンドオーバ通知メッセージを第２基地局へ送信する。
【００８５】
このステップは、ＭｅＮＢが基地局内ハンドオーバを行ったか、行っていることを第２基地局に通知するためのものであり、ステップ６０１〜６０５のいずれかのステップの後に実行されることができる。
【００８６】
図６に示される本発明の実施例に提供される基地局のハンドオーバ中にデータを伝送するための方法により、ＵＥは、ＭｅＮＢのハンドオーバの前後において、第２基地局との間の接続、及び第２基地局に保持されて伝送されるＳＣＧ  ｂｅａｒｅｒに対応するプロトコルエンティティが変わらないようにすることができ、ＵＥ及び第２基地局は、ＳＣＧ  ｂｅａｒｅｒにおけるユーザプレーンデータのスケジューリングを継続することができ、これにより、ＵＥのデータ伝送性能及びスループットを向上させ、同時に、第２基地局とＵＥとの間のデータ伝送は、ＭｅＮＢのハンドオーバに影響されることがないため、ネットワーク全体の無線リソースの使用効率が向上する。
【００８７】
図７に示される本発明の一実施例において、開示された基地局のハンドオーバ中にデータを伝送するための方法は、以下のステップ７０１〜ステップ７１１を含む。
【００８８】
ステップ７０１：ハンドオーバ準備段階において、基地局間ハンドオーバを実行する必要があると判定する。
【００８９】
本実施例において、ＵＥには、ＭＣＧ  ｂｅａｒｅｒであるＥＰＳ  ｂｅａｒｅｒ＃１及びＥＰＳ  ｂｅａｒｅｒ＃２と、ＳＣＧ  ｂｅａｒｅｒであるＥＰＳ  ｂｅａｒｅｒ＃３との３つのベアラが設定されている。
【００９０】
ここで、第１基地局は、前記ＵＥのソースネットワーク側におけるリソース設定情報が携帯されているハンドオーバ要求メッセージをターゲット基地局へ送信し、ターゲット基地局は、前記リソース設定情報に基づいて、基地局間ハンドオーバを受けるか否か、及びＵＥと第２基地局との間の接続状況を判断する。
【００９１】
ターゲット基地局は、基地局間ハンドオーバを実行すると判定した後、新しいリソース設定情報が携帯されているハンドオーバ要求確認メッセージを第１基地局へ送信する。
【００９２】
ステップ７０２：第１基地局は、ＲＲＣ  ＣＲメッセージをＵＥへ送信し、ＭｅＮＢに対して第１基地局からターゲット基地局へのハンドオーバを行うようＵＥに指示する。
【００９３】
ここで、ＲＲＣ  ＣＲメッセージには、新しいリソース設定情報以外に、第２基地局との間の接続を維持し、ＥＰＳ  ｂｅａｒｅｒ＃２をＳＣＧ  ｂｅａｒｅｒとなるように再構築するようＵＥに指示する情報も携帯されている。
【００９４】
さらに、ＲＲＣ  ＣＲメッセージに携帯された、第２基地局との間の接続を維持し、ＥＰＳ  ｂｅａｒｅｒ＃２をＳＣＧ  ｂｅａｒｅｒとなるように再構築するようＵＥに指示する情報は、既存のモビリティ制御情報Mobility Control Infoを含まなくてもよい。
【００９５】
ステップ７０３：第１基地局は、ＳｅＮＢ解放要求を第２基地局へ送信し、ＥＰＳ  ｂｅａｒｅｒ＃２をＳＣＧ  ｂｅａｒｅｒとなるように確立するよう第２基地局に指示する。
【００９６】
このステップにおいて、ＥＰＳ  ｂｅａｒｅｒ＃２に対応するプロトコルエンティティを、新しいリソース設定に従って再構築する。
【００９７】
以下のステップ７０４〜ステップ７１１は、このステップと同時に実行されてもよいし、個別に実行されてもよい。
【００９８】
ステップ７０４：ＵＥは、ＲＲＣ  ＣＲメッセージに基づいて、第２基地局に保持されて伝送されるＳＣＧ  ｂｅａｒｅｒに対応するプロトコルエンティティが変わらないようにする。
【００９９】
ここで、ＵＥは、さらに、ＲＲＣ  ＣＲメッセージにおける新しいリソース設定情報に基づいて、第２基地局のセルへのランダムアクセスを開始することができる。
【０１００】
ここで、ＥＰＳ  ｂｅａｒｅｒ＃３に対応するプロトコルエンティティが変わらないようにされ、ランダムアクセスが済んだ後、第２基地局は、引き続きＵＥに対してＥＰＳ  ｂｅａｒｅｒ＃２及びＥＰＳ  ｂｅａｒｅｒ＃３によるユーザプレーンデータ伝送のスケジューリングを行うことができる。
【０１０１】
ステップ７０５：ＵＥは、ターゲット基地局へのランダムアクセスを開始する。
【０１０２】
ここで、ＵＥは、第１基地局のセルから離れて、ターゲット基地局のセルとの同期を行い、ターゲット基地局へのランダムアクセスを開始する。
【０１０３】
このステップにおいて、ＥＰＳ  ｂｅａｒｅｒ＃１に対応するプロトコルエンティティについて、新しいリソース設定情報に基づく再構築／リセットを行う。
【０１０４】
ステップ７０６：ＵＥは、ＲＲＣ  ＣＲＣメッセージをターゲット基地局へ送信し、ＵＥが新しいリソース設定を始めたことを知らせる。
【０１０５】
このステップにおいて、ターゲット基地局は、ＲＲＣ  ＣＲＣメッセージを受け取った後、ＵＥに対してユーザプレーンの伝送スケジューリングを直接行うことができる。
【０１０６】
ステップ７０７：第１基地局は、ハンドオーバ要求確認メッセージに基づいて、ＥＰＳ  ｂｅａｒｅｒ＃１パケットの番号付け情報及びパケットをターゲット基地局に転送する。
【０１０７】
ここで、ＥＰＳ  ｂｅａｒｅｒ＃２パケットの番号付け情報及びパケットを第２基地局に転送することもできるが、そうすると、ステップ７０８を実行する必要がなくなる。
【０１０８】
さらに、第２基地局は、パケットを受け取った後、ＵＥがＥＰＳ  ｂｅａｒｅｒ＃２及びＥＰＳ  ｂｅａｒｅｒ＃３のパケットを伝送するようスケジューリングすることができる。
【０１０９】
ステップ７０８：ターゲット基地局は、第１基地局から転送されたパケットを受け取った後、さらに、対応するパケットを第２基地局に転送することができる。
【０１１０】
ステップ７０９：ターゲット基地局は、パス切り替え指示メッセージをコアネットワークノード（ＭＭＥ及びＳ−ＧＷを含む）へ送信し、ターゲット基地局がベアリングするＭＣＧ  ｂｅａｒｅｒ及び第２基地局に新しく追加されたＳＣＧ  ｂｅａｒｅｒの下り／上りデータトンネルエンドポイントの変化を知らせる。
【０１１１】
ここで、ＥＰＳ  ｂｅａｒｅｒ＃１の下りデータトンネルエンドポイントが、第１基地局からターゲット基地局に切り替わり、ＥＰＳ  ｂｅａｒｅｒ＃２の下りデータトンネルエンドポイントが、第１基地局から第２基地局に切り替わり、パス切り替えは、第２基地局に保持されて伝送されるＥＰＳ  ｂｅａｒｅｒ＃３のＳ１データトンネルエンドポイントの切り替えを含まず、即ち、ＥＰＳ  ｂｅａｒｅｒ＃３のユーザプレーンパスは、ＭｅＮＢのハンドオーバの前後において変わらないようにされる。
【０１１２】
ステップ７１０：ターゲット基地局は、ＵＥコンテキスト解放メッセージUE CONTEXT RELEASEを第１基地局へ送信する。
【０１１３】
ステップ７１１：第１基地局は、ＳｅＮＢ解放要求を第２基地局へ送信し、第１基地局との間での該ＵＥに関するＸ２接続を解放するよう第２基地局に指示する。
【０１１４】
ここで、ＳｅＮＢ解放要求は、既存標準に定義されたＸ２コントロールプレーンメッセージ（例えば、SENB RELEASE REQUEST）によって送信されることができるし、新しいメッセージを定義して、第１基地局との間での該ＵＥに関するＸ２接続を解放するよう第２基地局に指示することもできる。
【０１１５】
このステップにおいて、該ＵＥに関するＸ２接続の解放は、第２基地局による該ＵＥに関するユーザプレーンデータのスケジューリング及びリソース設定に影響することがないだけでなく、第２基地局に保存された該ＵＥに関するコンテキストに影響することもない。
【０１１６】
図７に示される本発明の実施例に提供される基地局のハンドオーバ中にデータを伝送するための方法により、ＵＥは、ＭｅＮＢのハンドオーバの前後において、第２基地局との間の接続、及び第２基地局に保持されて伝送されるＳＣＧ  ｂｅａｒｅｒに対応するプロトコルエンティティが変わらないようにすることができ、即ち、ＥＰＳ  ｂｅａｒｅｒ＃３のユーザプレーンパスは、ＭｅＮＢのハンドオーバの前後において変わらないようにされ、これにより、ＵＥのデータ伝送性能及びスループットを向上させ、同時に、第２基地局とＵＥとの間のデータ伝送は、ＭｅＮＢのハンドオーバに影響されることがないため、ネットワーク全体の無線リソースの使用効率が向上する。
【０１１７】
図８に示される本発明の一実施例において、開示された基地局のハンドオーバ中にデータを伝送するためのＵＥは、受信モジュールと、ハンドオーバモジュールと、第１プロトコル処理モジュールと、を備え、
前記受信モジュールは、無線リソース制御接続再設定ＲＲＣ  ＣＲメッセージを受信し、
前記ハンドオーバモジュールは、マスタ基地局ＭｅＮＢに対して第１基地局からターゲット基地局へのハンドオーバを行い、
前記第１プロトコル処理モジュールは、第２基地局との間の接続、及び第２基地局に保持されて伝送されるセカンダリ基地局セルグループベアラＳＣＧ  ｂｅａｒｅｒに対応するプロトコルエンティティが変わらないようにする。
【０１１８】
第２基地局との間の接続、及び第２基地局に保持されて伝送されるＳＣＧ  ｂｅａｒｅｒに対応するプロトコルエンティティが変わらないようにすると同時に、
上記第１プロトコル処理モジュールは、さらに、マスタ基地局セルグループベアラＭＣＧ  ｂｅａｒｅｒに対応するプロトコルエンティティの再構築又はリセットを行うとともに、前記ハンドオーバモジュールは、さらに、第１基地局のセルから離れて、ターゲット基地局のセルとの同期を行い、前記ターゲット基地局へのランダムアクセスを開始するか、
或いは、前記ターゲット基地局と前記第１基地局とが同一の基地局である場合、前記第１プロトコル処理モジュールは、さらに、マスタ基地局セルグループベアラＭＣＧ  ｂｅａｒｅｒに対応するプロトコルエンティティの再構築又はリセットを行い、前記第１伝送モジュールは、さらに、第１基地局のセルとの同期を行い、前記第１基地局へのランダムアクセスを開始する。
【０１１９】
上記第１プロトコル処理モジュールは、さらに、第２基地局との間の接続、及び第２基地局に保持されて伝送されるＳＣＧ  ｂｅａｒｅｒに対応するプロトコルエンティティが変わらないようにすると同時に、ＳＣＧ  ｂｅａｒｅｒを追加又は削除し、前記ＳＣＧ  ｂｅａｒｅｒに対応するプロトコルエンティティの再構築又はリセット、或いは削除を行う。
【０１２０】
上記ＵＥは、前記第２基地局に保持されて伝送されるＳＣＧ  ｂｅａｒｅｒにおいてユーザプレーンデータの伝送を行う第１伝送モジュール、をさらに備える。
【０１２１】
図９に示される本発明の一実施例において、開示された基地局のハンドオーバ中にデータを伝送するための方法は、以下のステップ９０１〜ステップ９０２を含む。
【０１２２】
ステップ９０１：ハンドオーバ準備段階において、ＭｅＮＢに対して第１基地局からターゲット基地局へのハンドオーバを行うと判定する。
【０１２３】
ステップ９０２：第２基地局は、マスタ基地局ＭｅＮＢが第１基地局からターゲット基地局にハンドオーバする場合、ＵＥとの間の接続、及び第２基地局に保持されて伝送されるセカンダリ基地局セルグループベアラＳＣＧ  ｂｅａｒｅｒに対応するプロトコルエンティティが変わらないようにし、前記第２基地局に保持されて伝送されるＳＣＧ  ｂｅａｒｅｒにおいてユーザプレーンデータのスケジューリングを行う。
【０１２４】
図１０に示される本発明の一実施例において、開示された基地局のハンドオーバ中にデータを伝送するための基地局は、第２プロトコル処理モジュールと、第２伝送モジュールと、を備え、
前記第２プロトコル処理モジュールは、マスタ基地局ＭｅＮＢが第１基地局からターゲット基地局にハンドオーバする場合、ＵＥとの間の接続、及び第２基地局に保持されて伝送されるセカンダリ基地局セルグループベアラＳＣＧ  ｂｅａｒｅｒに対応するプロトコルエンティティが変わらないようにし、
前記第２伝送モジュールは、前記第２基地局に保持されて伝送されるＳＣＧ  ｂｅａｒｅｒにおいてユーザプレーンデータのスケジューリングを行う。
【０１２５】
上記第２プロトコル処理モジュールは、さらに、セカンダリ基地局ＳｅＮＢ解放要求を前記第２基地局へ送信し、第１基地局との間での前記ＵＥに関するＸ２接続を解放するよう第２基地局に指示し、前記ＵＥに関するＸ２接続の解放が、前記第２基地局による前記ＵＥに関するユーザプレーンデータのスケジューリング及びリソース設定に影響することがないだけでなく、前記第２基地局に保存された前記ＵＥに関するコンテキストに影響することもないようにする。
【０１２６】
上記第２プロトコル処理モジュールは、さらに、ＭｅＮＢ基地局内ハンドオーバ通知メッセージを前記第２基地局へ送信し、ＭｅＮＢが基地局内ハンドオーバを行ったか、行っていることを前記第２基地局に通知することもできる。
【０１２７】
本発明の実施例において記憶媒体がさらに記載されており、前記記憶媒体には、前記各実施例の基地局のハンドオーバ中にデータを伝送するための方法を実行させるコンピュータプログラムが記憶されている。
【０１２８】
以上は、本発明の好適な実施例にすぎず、本発明の保護範囲を限定することは意図していない。
【産業上の利用可能性】
【０１２９】
本発明は、マスタ基地局ＭｅＮＢが第１基地局からターゲット基地局にハンドオーバする場合、ＵＥと第２基地局との間の接続、及び第２基地局に保持されて伝送されるセカンダリ基地局セルグループベアラＳＣＧ  ｂｅａｒｅｒに対応するプロトコルエンティティが変わらないようにすることにより、ＵＥは、ＭｅＮＢのハンドオーバの前後において、第２基地局との間の接続を維持することができ、即ち、ＵＥと第２基地局との間でのデータ伝送を途切れることなく行うことができ、これにより、ＵＥのデータ伝送性能及びスループットを向上させ、同時に、第２基地局とＵＥとの間のデータ伝送は、ＭｅＮＢのハンドオーバに影響されることがないため、ネットワーク全体の無線リソースの使用効率が向上する。
【図１】
2018512770.tif 000003
【図２】
2018512770.tif 000004
【図３】
2018512770.tif 000005
【図４】
2018512770.tif 000006
【図５】
2018512770.tif 000007
【図６】
2018512770.tif 000008
【図７】
2018512770.tif 000009
【図８】
2018512770.tif 000010
【図９】
2018512770.tif 000011
【図１０】
2018512770.tif 000012
【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
基地局のハンドオーバ中にデータを伝送するための方法であって、
ユーザ装置ＵＥが、受信した無線リソース制御接続再設定ＲＲＣ  ＣＲメッセージに基づいて、マスタ基地局に対して第１基地局からターゲット基地局へのハンドオーバを行うことと、
前記ＵＥが、第２基地局との間の接続、及び第２基地局に保持されて伝送されるセカンダリ基地局セルグループベアラＳＣＧ  ｂｅａｒｅｒに対応するプロトコルエンティティが変わらないようにすることと、
を含む方法。
【請求項２】
前記ＵＥが、第２基地局との間の接続、及びそのまま第２基地局に保持されて伝送されるＳＣＧ  ｂｅａｒｅｒに対応するプロトコルエンティティが変わらないようにすると同時に、
前記ＵＥが、第１基地局のセルから離れて、ターゲット基地局のセルとの同期を行い、前記ターゲット基地局へのランダムアクセスを開始し、マスタ基地局セルグループベアラＭＣＧ  ｂｅａｒｅｒに対応するプロトコルエンティティの再構築又はリセットを行うこと、
或いは、前記ターゲット基地局と前記第１基地局とが同一の基地局である場合、前記ＵＥが、第１基地局のセルとの同期を行い、前記第１基地局へのランダムアクセスを開始し、マスタ基地局セルグループベアラＭＣＧ  ｂｅａｒｅｒに対応するプロトコルエンティティの再構築又はリセットを行うこと、をさらに含む
請求項１に記載の方法。
【請求項３】
前記ＵＥは、第２基地局との間の接続、及び第２基地局に保持されて伝送されるＳＣＧ  ｂｅａｒｅｒに対応するプロトコルエンティティが変わらないようにすると同時に、ＳＣＧ  ｂｅａｒｅｒを追加又は削除し、前記ＳＣＧ  ｂｅａｒｅｒに対応するプロトコルエンティティの再構築又はリセット、或いは削除を行う
請求項１又は２に記載の方法。
【請求項４】
前記ＵＥは、前記第２基地局に保持されて伝送されるＳＣＧ  ｂｅａｒｅｒにおいてユーザプレーンデータの伝送を行う
請求項１又は２に記載の方法。
【請求項５】
無線リソース制御接続再設定ＲＲＣ  ＣＲメッセージを受信する受信モジュールと、
マスタ基地局に対して第１基地局からターゲット基地局へのハンドオーバを行うハンドオーバモジュールと、
第２基地局との間の接続、及び第２基地局に保持されて伝送されるセカンダリ基地局セルグループベアラＳＣＧ  ｂｅａｒｅｒに対応するプロトコルエンティティが変わらないようにする第１プロトコル処理モジュールと、
を備えるＵＥ。
【請求項６】
第２基地局との間の接続、及び第２基地局に保持されて伝送されるＳＣＧ  ｂｅａｒｅｒに対応するプロトコルエンティティが変わらないようにすると同時に、
前記第１プロトコル処理モジュールは、さらに、マスタ基地局セルグループベアラＭＣＧ  ｂｅａｒｅｒに対応するプロトコルエンティティの再構築又はリセットを行うとともに、前記ハンドオーバモジュールは、さらに、第１基地局のセルから離れて、ターゲット基地局のセルとの同期を行い、前記ターゲット基地局へのランダムアクセスを開始するか、
或いは、前記ターゲット基地局と前記第１基地局とが同一の基地局である場合、前記第１プロトコル処理モジュールは、さらに、マスタ基地局セルグループベアラＭＣＧ  ｂｅａｒｅｒに対応するプロトコルエンティティの再構築又はリセットを行うとともに、前記ハンドオーバモジュールは、さらに、第１基地局のセルとの同期を行い、前記第１基地局へのランダムアクセスを開始する
請求項５に記載のＵＥ。
【請求項７】
前記第１プロトコル処理モジュールは、さらに、第２基地局との間の接続、及び第２基地局に保持されて伝送されるＳＣＧ  ｂｅａｒｅｒに対応するプロトコルエンティティが変わらないようにすると同時に、ＳＣＧ  ｂｅａｒｅｒを追加又は削除し、前記ＳＣＧ  ｂｅａｒｅｒに対応するプロトコルエンティティの再構築又はリセット、或いは削除を行う
請求項５又は６に記載のＵＥ。
【請求項８】
前記第２基地局に保持されて伝送されるＳＣＧ  ｂｅａｒｅｒにおいてユーザプレーンデータの伝送を行う第１伝送モジュール、をさらに備える
請求項５又は６に記載のＵＥ。
【請求項９】
基地局のハンドオーバ中にデータを伝送するための方法であって、
第２基地局が、マスタ基地局が第１基地局からターゲット基地局にハンドオーバされる場合、ＵＥとの間の接続、及び第２基地局に保持されて伝送されるセカンダリ基地局セルグループベアラＳＣＧ  ｂｅａｒｅｒに対応するプロトコルエンティティが変わらないようにし、前記第２基地局に保持されて伝送されるＳＣＧ  ｂｅａｒｅｒにおいてユーザプレーンデータのスケジューリングを行うこと、
を含む方法。
【請求項１０】
前記第１基地局が、セカンダリ基地局解放要求を前記第２基地局へ送信し、第１基地局との間での前記ＵＥに関するＸ２接続を解放するよう第２基地局に指示し、前記ＵＥに関するＸ２接続の解放が、前記第２基地局による前記ＵＥに関するユーザプレーンデータのスケジューリング及びリソース設定に影響することがないだけでなく、前記第２基地局に保存された前記ＵＥに関するコンテキストに影響することもないようにすること、をさらに含む
請求項９に記載の方法。
【請求項１１】
前記第１基地局が、マスタ基地局内ハンドオーバ通知メッセージを前記第２基地局へ送信し、マスタ基地局が基地局内ハンドオーバを行ったか、行っていることを前記第２基地局に通知すること、をさらに含む
請求項９に記載の方法。
【請求項１２】
マスタ基地局が第１基地局からターゲット基地局にハンドオーバされる場合、ＵＥとの間の接続、及び第２基地局に保持されて伝送されるセカンダリ基地局セルグループベアラＳＣＧ  ｂｅａｒｅｒに対応するプロトコルエンティティが変わらないようにする第２プロトコル処理モジュールと、
前記第２基地局に保持されて伝送されるＳＣＧ  ｂｅａｒｅｒにおいてユーザプレーンデータのスケジューリングを行う第２伝送モジュールと、
を備える基地局。
【請求項１３】
前記第２プロトコル処理モジュールは、さらに、セカンダリ基地局解放要求を前記第２基地局へ送信し、第１基地局との間での前記ＵＥに関するＸ２接続を解放するよう第２基地局に指示し、前記ＵＥに関するＸ２接続の解放が、前記第２基地局による前記ＵＥに関するユーザプレーンデータのスケジューリング及びリソース設定に影響することがないだけでなく、前記第２基地局に保存された前記ＵＥに関するコンテキストに影響することもないようにする
請求項１２に記載の基地局。
【請求項１４】
前記第２プロトコル処理モジュールは、さらに、マスタ基地局内ハンドオーバ通知メッセージを前記第２基地局へ送信し、マスタ基地局が基地局内ハンドオーバを行ったか、行っていることを前記第２基地局に通知する
請求項１２に記載の基地局。
【請求項１５】
請求項１乃至４及び９乃至１１のうち何れか一項に記載の基地局のハンドオーバ中にデータを伝送するための方法を実行させるコンピュータプログラムが記憶されている記憶媒体。
【国際調査報告】
2018512770.tif 000013
2018512770.tif 000014
2018512770.tif 000015
2018512770.tif 000016